(57)【要約】【課題】移植機におけるセンタマスコットを破損を防止して取り付けることを課題としている。【解決手段】走行機体１の左右中心を示す照準具としてのセンタマスコット２３を、前後揺動自在に、且つ前後の揺動支点軸心に直交する方向を軸心として回動自在に機体フレーム２１側に軸支して設け、ボンネット４から突出させた。また上記センタマスコット２３を開閉自在なボンネット４の開閉に伴う開口部４ａの移動軌跡内に位置するボンネット開閉姿勢Ｃに姿勢切換可能とした【選択図】　　　　　図３
2004141087.tif 000002
【特許請求の範囲】
【請求項１】
走行機体（１）の左右中心を示す照準具としてのセンタマスコット（２３）を走行機体（１）の前方のボンネット（４）から突出させて設けた移植機において、上記センタマスコット（２３）を、前後揺動自在に、且つ前後の揺動支点軸心に直交する方向を軸心として回動自在に機体フレーム（２１）側に軸支して設けた移植機におけるセンタマスコット。
【請求項２】
ボンネット（４）を開閉自在に設けるとともに、該ボンネット（４）に開口部（４ａ）を設け、該開口部（４ａ）からセンタマスコット（２３）を突出させ、センタマスコット（２３）をボンネット（４）の開閉に伴う開口部（４ａ）の移動軌跡内に位置するボンネット開閉姿勢（Ｃ）に姿勢切換可能とした請求項１の移植機におけるセンタマスコット。
【発明の詳細な説明】
【０００１】
【発明の属する技術分野】
この発明は、移植機の走行機体の左右中心を示す照準具としてのセンタマスコットに関する。
【０００２】
【従来の技術】
【特許文献１】特開平１１−２８５３０４号　公報
【特許文献２】実公平８−６６９６号　公報
上記特許文献１には、機体フレーム側に前後揺動自在にセンタマスコットを設けることが記載されており、また特許文献２には、前端部分を支点としてボンネットを開閉自在とする構造が記載されている。
【０００３】
【発明が解決しようとする課題】
しかし上記のようにセンタマスコットを機体フレーム側に設ける場合、特にセンタマスコットに左右方向から外力が加わるとセンタマスコットや、センタマスコットの支持部分を破損することがあるという欠点がある他、上記のように開閉自在なタイプのボンネットを使用する場合、ボンネットの開閉時にはセンタマスコットを取り外す必要があるという欠点があった。
【０００４】
【課題を解決するための手段】
上記課題を解決するための本発明の移植機におけるセンタマスコットは、走行機体１の左右中心を示す照準具としてのセンタマスコット２３を走行機体１の前方のボンネット４から突出させて設けた移植機において、上記センタマスコット２３を、前後揺動自在に、且つ前後の揺動支点軸心に直交する方向を軸心として回動自在に機体フレーム２１側に軸支して設けたことを第１の特徴としている。
【０００５】
またボンネット４を開閉自在に設けるとともに、該ボンネット４に開口部４ａを設け、該開口部４ａからセンタマスコット２３を突出させ、センタマスコット２３をボンネット４の開閉に伴う開口部４ａの移動軌跡内に位置するボンネット開閉姿勢Ｃに姿勢切換可能としたことを第２の特徴としている。
【０００６】
【発明の実施の形態】
図１，図２は本発明のセンタマスコットを採用した乗用田植機の側面図及び平面図であり、走行機体１が前輪２及び後輪３に支持されており、該走行機体１の前方のボンネット４内にエンジンが搭載されている。そして該ボンネット４の後方にはハンドル６及びシート７等を備えた運転席８が設けられており、さらに走行機体１の後方には、植付作業機９が昇降リンク１１を介して昇降可能に装着されている。
【０００７】
これにより本乗用田植機は、圃場内で走行機体１を走行させ、植付作業機９をフロート１２が接地するように下降させて作動させることによって、機体の走行に伴い植付作業機９が植付爪１３によって苗載台１４から苗を描き取り、該苗を圃場に植え付ける。
【０００８】
一方走行機体１の前方においてボンネット４の両側方にはボンネット４と一体成形されてステップ１６が設けられており、該ステップ１６の外側方には、ステー１７を介して補助苗載台１５が設けられている。また左右のステップ１６の下方には流動性肥料を収容する肥料タンク１８が設けられており、植付け作業時等に圃場に施肥を行うことが可能となっている。
【０００９】
そして上記ボンネット４の前方部分の一部は開口しており、該開口部４ａ内に開閉自在な蓋１９が設けられ、該蓋１９内に流動性肥料の供給部が設けられている。これによりボンネット４の開口部４ａを介して蓋１９にアクセスし、該蓋１９を開くことによって流動性肥料の供給を容易に行うことができる。なお例えば畦からの肥料供給を容易に行うことができるように、流動性肥料の供給口として開口部４ａは機体の前端部分に設けられている。
【００１０】
また上記ボンネット４（ステップ一体型）は、図３に示されるように、ボンネット４の前端下方が機体フレーム２１側にステー２０を介して前後回動自在に支持されており、これによってボンネット４は前端側を支点として前後に回動して開閉が可能となっている。そしてボンネット４を開くことによりボンネット４内のメンテナンス等を行うことが可能となっている。
【００１１】
特に上記ボンネット４はステップ１６と一体であるため、ボンネット４を開姿勢とすることによってステップ１６もボンネット４と一体的に開き、ステップ１６内の肥料タンク１８等のメンテナンスも容易に行うことが可能となっている。ただしボンネット４とステップ１６とが一体的であるため重量が重く、このためボンネット４を容易に開くことができるように、ボンネット４は着脱式ではなく開閉式となっている。
【００１２】
一方上記ボンネット４の開口部４ａは、上記蓋１９の上方に間隙２２が存在し、図３〜図５に示されるように、該間隙２２を介して走行機体１の左右中心を示す照準具としてのセンタマスコット２３が突出せしめられている。なお図３〜図５は、ボンネット４内の内部構造、例えば蓋１９を含めた肥料供給部分や施肥タンク１８等は省略してある。
【００１３】
そして該センタマスコット２３は略Ｌ字状に湾曲した杆材からなり、基端部側が閉姿勢のボンネット４内の機体フレーム２１のステー２４側にセンタマスコット支持機構２６を介して支持されており、前後揺動及び基端部側の軸心を中心とした回動が自在となっている。なおボンネット４は上方に向かって凸な略円弧状をなすため、センタマスコット２３は蓋１９の後方から突出する。
【００１４】
次に上記センタマスコット支持機構２６の構造について説明する。該センタマスコット支持機構２６は、図６，図７に示されるように、ステー２４側に固定される左右のブラケット２７と、該ブラケット２７の間に設けられ、ブラケット２７に回動自在に軸支される支持ホルダ２８とを備えている。このとき該支持ホルダ２８は、中空の筒部２９と、該筒部２９の軸心に直交するように筒部２９の周面から突出する支軸３１とからなり、該支軸３１が両ブラケット２７に回動自在に軸支されている。
【００１５】
そして上記筒部２９にセンタマスコット２３の基端部側が挿入され、筒部２９の挿入側の反対側から突出するセンタマスコット２３の基端部には、ピン３２によって抜け止めされてリング３３が外嵌され、該リング３３と筒部２９の端面との間に圧縮スプリング３４が介設されている。
【００１６】
これによりセンタマスコット２３は圧縮スプリング３４によって基端部方向に付勢され、このため筒部２９におけるセンタマスコット２３の挿入側の端部には側面視でＶ字状をなすＶ溝３６が設けられており、センタマスコット２３から突出されるピン３７がＶ溝３６に挿入されることによって、センタマスコット２３が付勢状態で位置決めされる。
【００１７】
このときＶ溝３６は筒部２９の軸心を中心に１８０度対称な位置に２つ１組で設けられており、上記ピン３７も両Ｖ溝３６に相対するようにセンタマスコット２３の基端部分の軸心を中心に１８０度対称な位置に２つ１組で設けられている。そしてピン３７をＶ溝３６に係合させることによって、センタマスコット２３は運転席８から見て（正面視及び背面視において）、軸心Ｃ１が略鉛直となる。
【００１８】
センタマスコット２３は以上のように構成されており、支軸３１の回動によって走行機体１に対して前後揺動し、且つ圧縮スプリング３４の付勢力に抗してピン３７をＶ溝３６から抜くことによって、基端部側の軸心Ｃ１を中心に回動する。
【００１９】
そしてセンタマスコット２３の基端部側の軸心Ｃ１と一致する筒部２９の軸心Ｃ２が支軸３１の軸心に対して直交しているため、結局センタマスコット２３は前後揺動自在、且つ前後揺動支点軸心Ｃ２に直交する方向を軸心として回動自在に機体フレーム２１側に軸支されて、閉姿勢のボンネット４から突出している。
【００２０】
これにより図３に示されるように、走行機体１の作業走行時等においてセンタマスコット２３を使用する場合は、センタマスコット２３を上記支軸３１を中心に前後に揺動させ、先端が概ね鉛直上方を向く作用姿勢Ａにすることができ、またセンタマスコット２３を使用しない場合は、先端が運転席８側を向き、センタマスコット２３がボンネット４上に略沿う格納姿勢Ｂに作用姿勢Ａから前後揺動によって切り換えることができる。
【００２１】
すなわちセンタマスコット２３を左側面視において支軸３１の軸心を中心に時計回り方向に湾曲するように、センタマスコット２３の基端部の軸心を中心に回動させておくことによって、作用姿勢Ａと格納姿勢Ｂとの切換えを容易に行うことができる。
【００２２】
一方上記格納姿勢Ｂから、ピン３７とＶ溝３６との係合を解除し、センタマスコット２３を基端部側の軸心Ｃ１を中心に１８０度回動させて位置決めすることによって、格納姿勢Ｂに１８０度対称となり先端が圃場側を向く姿勢となる。
【００２３】
そしてこの姿勢においてはボンネット４の開閉に伴う開口部４ａの移動軌跡内にセンタマスコット２３が位置し、センタマスコット２３がボンネット４の開閉を妨げることがなく、すなわち上記格納姿勢Ｂに１８０度対称な姿勢がボンネット４の開閉を許容するボンネット開閉姿勢Ｃとなる。
【００２４】
以上によりセンタマスコット２３の前後揺動又は基端部側の軸心Ｃ１を中心とした回動によって、センタマスコット２３の姿勢を容易に切り換えることができる他、センタマスコット２３を取り外すことなくボンネット４の開閉を容易に行うことができ、開閉式のボンネットを備えた乗用田植機等にセンタマスコット２３を機体フレーム側に取り付けて設けることができる。
【００２５】
また特にセンタマスコット２３は基端部側の軸心Ｃ１を中心とした回動が許容され、且つ圧縮スプリング３４によってピン３７がＶ溝３６に押接するように付勢されているため、センタマスコット２３に対して左右方向から外力が加わった場合には、弾力的に又は回動して左右方向に逃げ、上記外力による破損等が防止される。
【００２６】
例えばセンタマスコット２３に対して左右方向から比較的小さな外力が加わった場合は、Ｖ溝３６の範囲内においてピン３７が移動し、センタマスコット２３は弾力的に左右方向に逃げ、元の状態に弾力的に復帰する。また左右方向から比較的大きな外力が加わった場合は、Ｖ溝３６からピン３７が外れ、センタマスコット２３は基端部分の軸心を中心に回動して逃げる。この場合センタマスコット２３を復帰させるためにはオペレータ等がピン３７をＶ溝３６に再度挿入するようにセンタマスコット２３を回動させる必要がある。
【００２７】
なおセンタマスコット２３に対して前後方向から外力が加わった場合には、前後に揺動して前後方向に逃げ、外力による破損等が防止される。またセンタマスコット２３は前述のように蓋１９の上方側において蓋１９より後方側から突出されているため、流動性肥料の供給の妨げになることは無く、また運転席８側に比較的近くなるため、前後揺動操作等を容易に行うことができる。
【００２８】
【発明の効果】
以上のように構成される本発明の構造によると、センタマスコットは前後揺動自在、且つ前後の揺動支点軸心に直交する方向を軸心として回動自在であるため、センタマスコットに対して外力が加わった場合、前後方向に揺動して逃げるだけでなく、前後揺動の軸心に直交する方向を軸心として回動することによって、左右方向に揺動して逃げ、前後及び左右方向からの外力による破損等が防止されるという効果がある。
【００２９】
またボンネットを開閉自在に設けるとともに、該ボンネットに開口部を設け、該開口部からセンタマスコットを突出させ、センタマスコットをボンネットの開閉に伴う開口部の移動軌跡内に位置するボンネット開閉姿勢に姿勢切換可能とすることによって、開閉タイプのボンネットにおいてセンタマスコットを取り外すことなくボンネットの開閉を容易に行うことができるという利点がある。
【図面の簡単な説明】
【図１】乗用田植機の側面図である。
【図２】乗用田植機の平面図である。
【図３】ボンネット部分の側面図である。
【図４】ボンネット部分の正面図である。
【図５】ボンネット部分の平面図である。
【図６】センタマスコットの取付状態を示す正面図である。
【図７】センタマスコットの取付状態を示す分解斜視図である。
【符号の説明】
１　　　走行機体
４　　　ボンネット
４ａ　　開口部
２１　　機体フレーム
２３　　センタマスコット
Ｃ１　　ボンネット開閉姿勢
【図１】
2004141087.tif 000003
【図２】
2004141087.tif 000004
【図３】
2004141087.tif 000005
【図４】
2004141087.tif 000006
【図５】
2004141087.tif 000007
【図６】
2004141087.tif 000008
【図７】
2004141087.tif 000009